(57)【要約】【課題】ユーザが充電を開始した場合に、早い時点で充電異常の警告通知を行うこと。【解決手段】ＣＰＵ１０は、二次電池１９の出力電圧上昇値が正常時の出力電圧上昇値と異なる場合には、二次電池１９の充電異常と判断し、ＲＡＭ／Ｄｉｓｋ１２上の充電異常回数値をインクリメントする。ＣＰＵ１０は、二次電池１９の充電中の場合は、上記処理の実行後、ＲＡＭ／Ｄｉｓｋ１２に記録している充電失敗警告表示回数を参照し、実行中の充電が正常に行われているか否かを判別するための閾値として、過去に充電が失敗したことのある場合用の充電失敗警告表示時閾値を使用するか、それとも過去に充電に失敗したことのない場合用の通常時閾値を使用するかを決定する。この閾値の決定後、ＣＰＵ１０は、充電異常回数が、各々の閾値より大きいか否かを判定する。また、ＣＰＵ１０は、次回以降の充電時の判定に使用するために、充電失敗警告表示回数を＋１だけ増加させる。【選択図】図１
2014011906.tif 000002
【特許請求の範囲】
【請求項１】
充電中に、外部の充電器から非接触で電力を取得する手段と、
前記取得した電力を内蔵二次電池に充電する手段と、
充電異常回数を記録する手段と、
充電失敗警告の表示回数を記録する手段と、
前記内蔵二次電池の、正常充電時の所定の長さの経過時間当たりの出力電圧の増加率を、第１の増加率として予め記録しておく手段と、
前記充電中の前記内蔵二次電池の、前記所定の長さの経過時間当たりの出力電圧の増加率を、第２の増加率として取得する手段と、
前記第１の増加率と前記第２の増加率とが、予め規定する所定の許容誤差範囲内での一致を示さない場合に、前記充電異常回数を＋１だけ増加させる手段と、
前記充電中に、前回までに所定の一定回数以上の充電失敗警告を表示しており、かつ前記増加させた後の前記充電異常回数が充電失敗警告時用に予め設定されている第１の閾値以上である場合に、充電失敗の警告を表示すると共に前記充電失敗警告の表示回数を＋１だけ増加させる手段と、
前記充電中に、前回までに所定の一定回数以上の充電失敗警告を表示しておらず、かつ前記増加させた後の前記充電異常回数が通常の充電時用に予め設定されている第２の閾値以上である場合に、充電失敗の警告を表示すると共に前記充電失敗警告の表示回数を＋１だけ増加させる手段と
を備える非接触充電装置。
【請求項２】
前記外部の充電器から非接触で電力を取得するためのアンテナを内蔵している
請求項１に記載の非接触充電装置。
【請求項３】
充電中に、外部の充電器から非接触で電力を取得するステップと、
前記取得した電力を内蔵二次電池に充電するステップと、
充電異常回数を記録するステップと、
充電失敗警告の表示回数を記録するステップと、
前記内蔵二次電池の、正常充電時の所定の長さの経過時間当たりの出力電圧の増加率を、第１の増加率として予め記録しておくステップと、
前記充電中の前記内蔵二次電池の、前記所定の長さの経過時間当たりの出力電圧の増加率を、第２の増加率として取得するステップと、
前記第１の増加率と前記第２の増加率とが、予め規定する所定の許容誤差範囲内での一致を示さない場合に、前記充電異常回数を＋１だけ増加させるステップと、
前記充電中に、前回までに所定の一定回数以上の充電失敗警告を表示しており、かつ前記増加させた後の前記充電異常回数が充電失敗警告時用に予め設定されている第１の閾値以上である場合に、充電失敗の警告を表示すると共に前記充電失敗警告の表示回数を＋１だけ増加させるステップと、
前記充電中に、前回までに所定の一定回数以上の充電失敗警告を表示しておらず、かつ前記増加させた後の前記充電異常回数が通常の充電時用に予め設定されている第２の閾値以上である場合に、充電失敗の警告を表示すると共に前記充電失敗警告の表示回数を＋１だけ増加させるステップと
を備える非接触充電方法。
【請求項４】
充電中に、外部の充電器から非接触で電力を取得するステップと、
前記取得した電力を内蔵二次電池に充電するステップと、
充電異常回数を記録するステップと、
充電失敗警告の表示回数を記録するステップと、
前記内蔵二次電池の、正常充電時の所定の長さの経過時間当たりの出力電圧の増加率を、第１の増加率として予め記録しておくステップと、
前記充電中の前記内蔵二次電池の、前記所定の長さの経過時間当たりの出力電圧の増加率を、第２の増加率として取得するステップと、
前記第１の増加率と前記第２の増加率とが、予め規定する所定の許容誤差範囲内での一致を示さない場合に、前記充電異常回数を＋１だけ増加させるステップと、
前記充電中に、前回までに所定の一定回数以上の充電失敗警告を表示しており、かつ前記増加させた後の前記充電異常回数が充電失敗警告時用に予め設定されている第１の閾値以上である場合に、充電失敗の警告を表示すると共に前記充電失敗警告の表示回数を＋１だけ増加させるステップと、
前記充電中に、前回までに所定の一定回数以上の充電失敗警告を表示しておらず、かつ前記増加させた後の前記充電異常回数が通常の充電時用に予め設定されている第２の閾値以上である場合に、充電失敗の警告を表示すると共に前記充電失敗警告の表示回数を＋１だけ増加させるステップと
して非接触充電装置をコンピュータ制御させるためのコンピュータプログラム。
【発明の詳細な説明】
【技術分野】
【０００１】
本発明は非接触充電装置、非接触充電方法、及びコンピュータプログラムに係り、特に、充電異常をユーザに通知するまでの時間を、ユーザの充電操作の履歴に応じて変化させる非接触充電装置、非接触充電方法、及びコンピュータプログラムに関する。
【背景技術】
【０００２】
近年、充電装置は、電力供給側の外部の充電装置（電源装置）には直接接続しなくても、非接触で充電可能な非接触充電装置が普及する傾向にある。しかし、このような使用形態の非接触充電装置では、充電中の表示がなされているにも関わらず、充電動作が不十分な状態が発生している。その原因として、外部の充電装置（電源装置）と非接触充電装置に内蔵されている二次電池との相対位置関係が悪く、即ち、両者が互いに適切に配置されていないため、二次電池に十分に電力が供給されないことが指摘される。また、このような充電失敗が検知されてから、その事実がユーザに通知されるまでの時間間隔が適切ではなく、例えば、上記事実の警告通知が、ユーザが充電場所を離れてしまった後に表示される場面なども散見されている。
【０００３】
この分野の公知例技術として、例えば特許文献１には、磁気浮上搬送システムの車載バッテリの利用効率の悪さ、及び劣化バッテリの継続使用による搬送システムの運転の支障を解消する装置が開示されている。具体的には、この装置は、充電時期を管理する手段、充電電圧を監視する手段、監視電圧を所定の電圧パターンと比較する手段、及び充電終了時の到達電圧が所定の電圧より低いときに充電異常と判定して異常信号を運転制御系に送信する手段を備える。これにより、バッテリ劣化を確実に検出できるので、劣化バッテリの交換時期の適正化で前述の問題を解消できる。
【０００４】
また、例えば特許文献２には、低コストで、生産性のよい誘導コイルを使用して相互誘導を、適正ギャップをもって効率よく行われるようにする技術が開示されている。具体的には、充電器の１次側誘導コイルとコードレス機器（子機）の２次側誘導コイルに２つのコンデンサを各々並列接続し、この並列接続によって充電器とコードレス機器とに各々ＬＣ並列共振回路を構成する。１次側誘導コイルと２次側誘導コイルとをシートコイルにより構成し、これらシートコイルを充電器にコードレス機器がセットされた充電状態時において所定のギャップをおいて相対向するよう充電器とコードレス機器に各々固定配置する、ことを開示している。
【０００５】
また、例えば特許文献３には、バッテリが雰囲気温度の高い環境下で使用されても連続充電により過充電となるのを防止する技術が開示されている。具体的には、バッテリの充電が開始されるとこのバッテリの電圧を周期的に検出し、また、電圧を検出する毎に少なくとも前回の電圧値と比較する。そして、前回より上昇している場合には今回の電圧値が予め設定された第１の電圧レベルまで上昇したか判断し、今回の電圧値が第１の電圧レベルまで上昇した場合には充電を停止する。また、今回の電圧値が前回の電圧値より上昇していない場合にも充電を停止する。その後、バッテリの電圧が自己放電によって下降し、第１の電圧レベルより低い第２の電圧レベルまで下降すると、充電を再開する。
【０００６】
また、例えば特許文献４には、充電動作中の中央処理部動作を低減し、充電時間を短くする非接触充電式情報端末装置を提供する技術が開示されている。具体的には、低消費電力状態へ推移するスタンバイ機能を有する中央処理部と、充電池の電池電圧をディジタル値へ変換するＡ／Ｄ変換部と、充電器の送電コイルから電磁誘導により電力を誘起する受電コイルと、充電池を充電する充電部を備える。この構成により、充電中、中央処理部は、所定の時間間隔をおいて充電値の電圧を検出するときを除いて低消費電力状態へ推移させることができ、中央処理部の消費電流を低減することができる。
【０００７】
また、例えば特許文献５には、消費電流を抑制して精度よく異常電流を検出する電子機器を開示している。具体的には、バッテリと、バッテリの端子に接続する電流検出抵抗と、電流検出抵抗を介してバッテリからの電源電流が供給される複数のデバイスと、デバイスの状態に応じた消費電流に対応する閾値を記憶する記憶部とを備える。また、デバイスの動作を制御すると共に電流検出抵抗の検出電流値を所定の周期で入力し、検出電流値と閾値とを比較して検出電流値が閾値を超えた回数をカウントし、この回数が所定の回数になったときに異常が発生したと判断する制御部とを備える。そして、制御部は、比較に用いる閾値を第１の閾値から第２の閾値へ変更したとき、第１の閾値により検出した閾値を超えた回数をリセットし、第２の閾値へ変更した次の周期において電流検出抵抗が検出した検出電流値から閾値を超えた回数のカウントを始める。
【先行技術文献】
【特許文献】
【０００８】
【特許文献１】特開平０８−２８９４１６号公報
【特許文献２】特開平１０−０２３６７７号公報
【特許文献３】特開平１１−０５５８６７号公報
【特許文献４】特開２００５−２７８２７３号公報
【特許文献５】特開２０１０−１１０１３３号公報
【発明の概要】
【発明が解決しようとする課題】
【０００９】
前述の特許文献１〜５に記載の装置は、それぞれに機器構成を工夫することにより、動作を安定させた充電を行うことができる。しかしながら、充電装置と二次電池とが互いに適切に配置されていないために、二次電池に十分に電力が供給されない状態のままにユーザが充電現場を離れてしまうといった、充電器使用の際に発生しがちなトラブルは未解決となっている。即ち、充電失敗状態が検知されてから、その事実がユーザに通知されるまでの時間が長過ぎるといったシステム上の問題点が解消されていない。
【００１０】
例えば、前述の特許文献２に記載の技術は、充電器と二次電池が非接触で充電を行う非接触充電装置の典型的な技術であり、よって、充電に際し、ユーザは、充電すべき機器を外部の充電器に装着する必要が無いので操作が容易であるといった利点を有する。ところで、このような非接触充電装置を使用する場合、充電すべき機器と外部の充電器との相対的な位置関係や設置範囲については、メーカの規定に従うことが要請される。
【００１１】
しかしながら、一般に、このような非接触充電装置は、充電器と物理的に接続するものではないため、充電器と二次電池が適切な位置に配置されないままに充電が続けられる場合も生じ得る。このような場合、該二次電池を内蔵する充電対象の機器は、充電効率の低い状態で充電され続けることになり、所定の充電時間内だけでは該二次電池が十分に充電されず、満足な充電結果が得られないことが生じ得る。そこで、このような場合、ユーザは、長時間充電を強いられることも起こり得る。
【００１２】
なお、適切に充電されない状態の検知は、充電中の二次電池の電圧変化と正常な充電状態との電圧値変化を比較することで実現可能である。しかしながら、一般に、現在の充電状態と既知の正常な充電状態との比較には数十秒程度の時間を必要とする。このため、適切に充電されない状態を検知してから、ユーザに充電異常の警告通知を行う方法では、この通知時点で、ユーザは充電器の近くには居ない場合も考えられるため、ユーザは、この警告通知には気が付かないことも起こり得る。
【００１３】
本発明は、上記従来の問題点に鑑みてなされたものであって、ユーザが充電を開始した場合に、早い時点で充電異常の警告通知を行うことができる非接触充電装置、非接触充電方法、及びコンピュータプログラムを提供することを目的としている。本発明の他の目的は、ユーザが充電異常を発生させたことを、実時間で履歴情報として記録することを可能にして、ユーザ毎に、充電操作の適切な管理を行うことができる非接触充電装置、非接触充電方法、及びコンピュータプログラムを提供することにある。
【課題を解決するための手段】
【００１４】
上記課題を解決するために、本発明に係る非接触充電装置は、充電中に、外部の充電器から非接触で電力を取得する手段と、取得した電力を内蔵二次電池に充電する手段と、充電異常回数を記録する手段と、充電失敗警告の表示回数を記録する手段と、内蔵二次電池の、正常充電時の所定の長さの経過時間当たりの出力電圧の増加率を、第１の増加率として予め記録しておく手段と、充電中の内蔵二次電池の、所定の長さの経過時間当たりの出力電圧の増加率を、第２の増加率として取得する手段と、第１の増加率と第２の増加率とが、予め規定する所定の許容誤差範囲内での一致を示さない場合に、充電異常回数を＋１だけ増加させる手段と、充電中に、前回までに所定の一定回数以上の充電失敗警告を表示しており、かつ増加させた後の充電異常回数が充電失敗警告時用に予め設定されている第１の閾値以上である場合に、充電失敗の警告を表示すると共に充電失敗警告の表示回数を＋１だけ増加させる手段と、充電中に、前回までに所定の一定回数以上の充電失敗警告を表示しておらず、かつ増加させた後の充電異常回数が通常の充電時用に予め設定されている第２の閾値以上である場合に、充電失敗の警告を表示すると共に充電失敗警告の表示回数を＋１だけ増加させる手段とを備える。
【００１５】
また、本発明に係る非接触充電方法は、充電中に、外部の充電器から非接触で電力を取得するステップと、取得した電力を内蔵二次電池に充電するステップと、充電異常回数を記録するステップと、充電失敗警告の表示回数を記録するステップと、内蔵二次電池の、正常充電時の所定の長さの経過時間当たりの出力電圧の増加率を、第１の増加率として予め記録しておくステップと、充電中の内蔵二次電池の、所定の長さの経過時間当たりの出力電圧の増加率を、第２の増加率として取得するステップと、第１の増加率と第２の増加率とが、予め規定する所定の許容誤差範囲内での一致を示さない場合に、充電異常回数を＋１だけ増加させるステップと、充電中に、前回までに所定の一定回数以上の充電失敗警告を表示しており、かつ増加させた後の充電異常回数が充電失敗警告時用に予め設定されている第１の閾値以上である場合に、充電失敗の警告を表示すると共に充電失敗警告の表示回数を＋１だけ増加させるステップと、充電中に、前回までに所定の一定回数以上の充電失敗警告を表示しておらず、かつ増加させた後の充電異常回数が通常の充電時用に予め設定されている第２の閾値以上である場合に、充電失敗の警告を表示すると共に充電失敗警告の表示回数を＋１だけ増加させるステップとを備える。
【００１６】
さらに、本発明に係るコンピュータプログラムは、充電中に、外部の充電器から非接触で電力を取得するステップと、取得した電力を内蔵二次電池に充電するステップと、充電異常回数を記録するステップと、充電失敗警告の表示回数を記録するステップと、内蔵二次電池の、正常充電時の所定の長さの経過時間当たりの出力電圧の増加率を、第１の増加率として予め記録しておくステップと、充電中の内蔵二次電池の、所定の長さの経過時間当たりの出力電圧の増加率を、第２の増加率として取得するステップと、第１の増加率と第２の増加率とが、予め規定する所定の許容誤差範囲内での一致を示さない場合に、充電異常回数を＋１だけ増加させるステップと、充電中に、前回までに所定の一定回数以上の充電失敗警告を表示しており、かつ増加させた後の充電異常回数が充電失敗警告時用に予め設定されている第１の閾値以上である場合に、充電失敗の警告を表示すると共に充電失敗警告の表示回数を＋１だけ増加させるステップと、充電中に、前回までに所定の一定回数以上の充電失敗警告を表示しておらず、かつ増加させた後の充電異常回数が通常の充電時用に予め設定されている第２の閾値以上である場合に、充電失敗の警告を表示すると共に充電失敗警告の表示回数を＋１だけ増加させるステップとして非接触充電装置をコンピュータ制御させる。
【発明の効果】
【００１７】
以上の説明から明らかなように、この発明によれば、充電異常が発生した場合には、該ユーザの使用形態に対応した適切な時間内に、充電異常の警告を表示することにより、該ユーザに、確実に充電異常の発生を通知することができるようにする効果が有る。
【図面の簡単な説明】
【００１８】
【図１】本発明の実施形態に係る非接触充電装置の全体構成を示す構成図である。
【図２】本発明の実施形態に係る非接触充電装置での充電異常回数を更新するサブルーチン（図３のステップＳ２２に記載）の動作手順を示すフローチャート図である。
【図３】本発明の実施形態に係る非接触充電装置の充電時の基本動作手順を示すフローチャート図である。
【発明を実施するための形態】
【００１９】
以下、本発明の非接触充電装置、非接触充電方法、及びコンピュータプログラムの実施形態について、図面を参照して詳細に説明する。図１は、本発明の実施形態に係る非接触充電装置の全体構成を示す構成図である。同図において、本実施形態の非接触充電装置は、ＣＰＵ１０、ＲＯＭ１１、ＲＡＭ／Ｄｉｓｋ１２、表示部１３、キー操作部１４、内蔵アンテナ、高周波部１６、接続制御部１７、電源部１８、及び二次電池１９、を備える。
【００２０】
本実施形態に係る非接触充電装置は、上記構成で、外部の充電器２０から電力を取得し、内蔵する二次電池１９の充電を行う。よって、本実施形態に係る非接触充電装置は、電力消費を伴う任意の電子機器、特に携帯電話装置などの二次電池を使用する装置に随意、搭載することができる。
【００２１】
以下、本実施形態の非接触充電装置が有する機能を、主要な構成要素に基づいて説明する。二次電池１９は、外部に設置されている充電器２０から非接触で充電し、この充電電力は、充電後に、電源部１８を介して電力消費を伴う他の任意の電子機器に出力する。外部の充電器２０から二次電池１９への送電は、内蔵アンテナ１５、高周波部１６、接続制御部１７、及び電源部１８を介して行う。
【００２２】
上記構成の回路において、二次電池１９の充電電圧値は、接続制御部１７にて計測するものとする。ＣＰＵ１０は、所定の時間間隔を周期とする１周期毎に、接続制御部１７から電圧値を取得する。表示部１３は、ＣＰＵ１０が指示した指示内容を表示する。ＲＯＭ１１は、正常充電時の二次電池１９の所定の長さの経過時間当たりの出力電圧の増加率を予め記録しているものとする。また、ＲＯＭ１１は、充電状態の正常若しくは異常を判別するための、正常回数及び異常回数の閾値を複数値記録しているものとする。さらに、ＲＡＭ／Ｄｉｓｋ１２は、二次電池１９の充電異常回数、及び充電失敗警告表示回数を記録するものであり、そのための記録領域を保持するものとする。
【００２３】
以下、本実施形態の非接触充電装置の動作の概要を説明する。上記回路において、ＣＰＵ１０は、現在充電中の二次電池１９の充電異常を検知し、該充電異常回数の記録を更新するサブルーチンでの処理と、二次電池１９の充電を実行するメインの処理とを実行する。充電異常回数を更新するサブルーチンでは、ＣＰＵ１０は、前回実行時からの経過時間を算出する。そして、ＲＯＭ１１に予め記録されている正常充電時の二次電池１９の所定の長さの経過時間当たりの出力電圧の増加率（第１の増加率）と、現在充電中の二次電池１９の上記所定の長さの経過時間当たりの出力電圧の増加率（第２の増加率）とを比較する。
【００２４】
この比較結果として、二次電池１９の上記第１の増加率と上記第２の増加率とが予め規定する所定の許容誤差範囲内での一致を示さない場合には、ＣＰＵ１０は、二次電池１９の充電異常と判断し、ＲＡＭ／Ｄｉｓｋ１２上の充電異常回数値を＋１だけ増加させる。
【００２５】
二次電池１９の充電を実行するメインの処理では、ＣＰＵ１０は、現在、二次電池１９の充電中であるか否かを検証する。そして、充電中の場合は、図２に示すサブルーチンの実行後、充電失敗警告表示回数を参照する。そして、実行中の充電が正常に行われているか否かを判別するための閾値として、過去に充電が失敗したことのある場合用の充電失敗警告表示時閾値を使用するか、それとも過去に充電に失敗したことのない場合用の通常時閾値を使用するかを決定する。なお、これらの閾値は、いずれもＲＡＭ／Ｄｉｓｋ１２に記録されている。
【００２６】
この閾値の決定後、ＣＰＵ１０は、充電異常回数が、各々の閾値より大きいか否かを判定する。さらに、ＣＰＵ１０は、充電異常回数が、各々の閾値より大きい場合には、充電異常と判定し、表示部にユーザへの警告を表示する。また、次回以降の充電時の判定に使用するために、ＲＡＭ／Ｄｉｓｋ１２に記録されている充電失敗警告表示回数を＋１だけ増加させる。
【００２７】
図２は、本発明の実施形態に係る非接触充電装置での充電異常回数を更新するサブルーチン（図３のステップＳ２２に記載）の動作手順を示すフローチャート図である。以下、図１を参照しながら、図２に示すフローチャートを使用して、本発明の実施形態に係る非接触充電装置での充電異常回数を更新するサブルーチンの動作手順を説明する。まず、ステップＳ１では、ＣＰＵ１０は、前回の充電動作を正常と判定した時からの経過時間を算出する。引き続き、ステップＳ２では、ＣＰＵ１０は、二次電池１９の充電電圧値を、接続制御部１７を介して計測値として取得する。
【００２８】
次に、ステップＳ３では、ＣＰＵ１０は、二次電池１９の充電電圧値の上記計測値と、前回計測値との差分値を算出する。次に、ステップＳ４では、ＣＰＵ１０は、ＲＯＭ１１の記録を参照して、二次電池１９の、正常充電時の所定の長さの経過時間当たりの電圧値の上昇率（第１の増加率）を取得する。
【００２９】
ステップＳ５では、ＣＰＵ１０は、経過時と差分値とから、上記所定の長さの経過時間当たりの差分値を計算して、二次電池１９の出力電圧値の所定の長さの経過時間当たりの上昇率（第２の増加率）を算出する。そして、二次電池１９の出力電圧値の上記第１の増加率と上記第２の増加率とが予め規定する所定の許容誤差範囲内での一致を示しているか否かを検証する。該出力電圧値が、上記一致を示している場合は処理を終了する。さもなくて、該出力電圧値が、上記一致を示していない場合は、ステップＳ６にて、ＣＰＵ１０は、ＲＡＭ／Ｄｉｓｋ１２に記録している二次電池１９の充電異常回数を＋１だけ増加させ、処理を終了する。
【００３０】
図３は、本発明の実施形態に係る非接触充電装置の充電時の基本動作手順を示すフローチャート図である。以下、図１を参照しながら、図３に示すフローチャートを使用して、本発明の実施形態に係る非接触充電装置の充電時の基本動作手順を説明する。まず、ステップＳ２１では、ＣＰＵ１０は、本装置が充電を実施中であるか否かを検証する。本装置が充電を実施中でなければ、そのまま処理を終了する。また、本装置が充電を実施中であればステップＳ２２に進む。
【００３１】
ステップＳ２２では、ＣＰＵ１０は、図２に示すサブルーチンを呼び出して実行する。ステップＳ２３では、ＣＰＵ１０は、ＲＡＭ／Ｄｉｓｋ１２に記録している前回までの充電失敗警告回数を参照し、前回までに所定の一定回数以上の充電失敗警告をユーザに通知しているか否かを検証する。前回までに所定の一定回数以上の充電失敗警告をユーザに通知している場合はステップＳ２４に進む。また、前回までに所定の一定回数以上の充電失敗警告をユーザに通知していない場合はステップＳ２７に移る。
【００３２】
ステップＳ２４では、ＣＰＵ１０は、ＲＡＭ／Ｄｉｓｋ１２に記録している前回までの充電異常回数が、第１の閾値（ＲＡＭ／Ｄｉｓｋ１２に記録している充電失敗警告時の閾値）以上か否かを検証する。前回までの充電異常回数が第１の閾値以上でない場合は、そのまま処理を終了する。また、前回までの充電異常回数が第１の閾値以上の場合はステップＳ２５に進む。
【００３３】
ステップＳ２７では、ＣＰＵ１０は、ＲＡＭ／Ｄｉｓｋ１２に記録している前回までの充電異常回数が、第２の閾値（ＲＡＭ／Ｄｉｓｋ１２に記録している通常時間の閾値）以上か否かを検証する。前回までの充電異常回数が第２の閾値以上でない場合は、そのまま処理を終了する。また、前回までの充電異常回数が第２の閾値以上の場合はステップＳ２５に進む。
【００３４】
ステップＳ２５では、ＣＰＵ１０は、充電失敗警告を表示部１３に表示する。続けて、ステップＳ２５では、ＣＰＵ１０は、ＲＡＭ／Ｄｉｓｋ１２に記録している上記前回までの充電失敗警告回数を増加し（例えば、既に記録している充電失敗警告回数に＋１を加える）、処理を終了する。
【００３５】
本実施形態に係る非接触充電装置によれば、充電異常回数を判定する時に参照する閾値を、前回までの充電失敗回数に応じて、充電失敗警告時の閾値である第１の閾値と、通常時間の閾値である第２の閾値とに、それぞれ使い分ける。このようにして、ユーザが充電失敗を認識できる時点を早め、該認識がなされる可能性を高める効果が有る。
【００３６】
一般に、ユーザに充電異常の発生を正確に通知するには、充電失敗の誤判定を防ぐために、数十秒程度の長い時間で正常時との比較を行って充電異常を検知することが好ましい。しかしながら、非接触充電装置の場合、ユーザは、非接触充電装置を充電器２０に載置したなら、直ちに該充電器２０から離れる使用形態が予想される。この使用形態からは、ユーザの本充電装置の充電器２０への載置の仕方や載置場所は、本充電装置を使用する都度、ほぼ同じ傾向を有することが推察される。何故なら、個人や特定グループのユーザによる非接触充電装置の使用形態には一種の癖が存在すると考えられるからである。
【００３７】
そこで、充電失敗が多い使用履歴を有するユーザに対しては、多少は、失敗充電であることの誤判定の可能性が高くなったとしても、早期に充電失敗判定を行い、早めに警告通知を行った方が合理的である。そこで、本実施形態に係る非接触充電装置によれば、ＣＰＵ１０に、上述のような考え方に基づいて充電動作を制御させる。よって、本実施形態に係る非接触充電装置によれば、ユーザが、充電失敗警告に気づかず、充電不十分の状態のままで充電が完了し、結果的に該ユーザに、充電やり直し等の不便を強いることになって、不満を与えてしまうことになる問題点を防止することができる。
【００３８】
なお、本発明に係る非接触充電装置の各構成要素の処理の少なくとも一部をコンピュータ制御により実行するものとする。かつ、上記処理を、図２，３のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【符号の説明】
【００３９】
１０  ＣＰＵ
１１  ＲＯＭ
１２  ＲＡＭ／Ｄｉｓｋ
１３  表示部
１４  キー操作部
１５  内蔵アンテナ
１６  高周波部
１７  接続制御部
１８  電源部
１９  二次電池
２０  充電器
【図１】
2014011906.tif 000003
【図２】
2014011906.tif 000004
【図３】
2014011906.tif 000005